(57)【要約】【課題】検知素子の光学的性質変化の経時変化を排除して正確なガス状不純物濃度を検出できるガス状不純物濃度検出ユニット及び方法を提供する。【解決手段】試料ガス中のガス状不純物成分の濃度を検出するユニットであって、第１測定光及び第２測定光の吸収状態が変化する感応剤を基材に固定化した検知素子１７と、検知素子を備えた試料ガス通路１２と、試料ガス通路内に第１測定光及び第２測定光を照射する第１光源１８及び第２光源１９と、検知素子を透過した第１測定光及び第２測定光の受光状態を第１計測電圧及び第２計測電圧に変換する受光部２２と、第１計測電圧と第２計測電圧との差又は商を算出し、算出した差又は商に基づいてガス状不純物成分の濃度を補正する演算部２３とを備えている。【選択図】図１
2019120504.tif 000002
【特許請求の範囲】
【請求項１】
試料ガス中に含まれるガス状不純物成分の濃度を検出するガス状不純物濃度検出ユニットにおいて、あらかじめ設定した第１の波長を有する第１測定光及び前記第１の波長とは異なるあらかじめ設定した第２の波長を有する第２測定光の吸収状態が特定のガスとの接触によってそれぞれ変化する感応剤を光透過性及びガス透過性を有する基材に固定化した検知素子と、該検知素子を備えた試料ガス通路と、該試料ガス通路の一方から試料ガス通路内に前記第１測定光を照射する第１光源及び前記第２測定光を照射する第２光源と、試料ガス通路の他方で前記検知素子を透過した第１測定光及び第２測定光の受光状態をそれぞれ第１計測電圧及び第２計測電圧に変換する受光部と、該受光部で変換した第１計測電圧と第２計測電圧との差又は商を算出し、算出した差又は商に基づいて前記第１計測電圧又は前記第２計測電圧から算出したガス状不純物成分の濃度を補正する演算部とを備えていることを特徴とするガス状不純物濃度検出ユニット。
【請求項２】
前記第１測定光及び前記第２測定光は、波長が２００〜８００ｎｍの範囲の光であることを特徴とする請求項１記載のガス状不純物濃度検出ユニット。
【請求項３】
前記ガス状不純物成分が水分であり、前記感応剤は、金属イオン及び該金属イオンに配位結合する有機配位子からなる多孔性金属錯体であることを特徴とする請求項１又は２記載のガス状不純物濃度検出ユニット。
【請求項４】
前記多孔性金属錯体は、銅ベンゼン−１，３，５−トリカルボキシレートであることを特徴とする請求項３記載のガス状不純物濃度検出ユニット。
【請求項５】
試料ガス中に含まれるガス状不純物成分の濃度を検出する方法において、あらかじめ設定した第１の波長を有する第１測定光及び前記第１の波長とは異なるあらかじめ設定した第２の波長を有する第２測定光の吸収状態が特定のガスとの接触によってそれぞれ変化する感応剤を光透過性及びガス透過性を有する基材に固定化した検知素子を備えた試料ガス通路内に試料ガスを流通させるとともに、前記試料ガス通路の一方から試料ガス通路内に前記第１測定光及び前記第２測定光を照射し、前記試料ガス通路の他方で前記検知素子を透過した第１測定光及び第２測定光を受光して各受光状態をそれぞれ第１計測電圧及び第２計測電圧に変換し、第１計測電圧と第２計測電圧との差又は商を算出し、算出した差又は商に基づいて前記第１計測電圧又は前記第２計測電圧から算出したガス状不純物成分の濃度を補正することを特徴とするガス状不純物濃度検出方法。
【請求項６】
前記第１測定光及び前記第２測定光は、波長が２００〜８００ｎｍの範囲の光であることを特徴とする請求項５記載のガス状不純物濃度検出方法。
【請求項７】
前記ガス状不純物成分が水分であり、前記感応剤は、金属イオン及び該金属イオンに配位結合する有機配位子からなる多孔性金属錯体であることを特徴とする請求項５又は６記載のガス状不純物濃度検出方法。
【請求項８】
前記多孔性金属錯体は、銅ベンゼン−１，３，５−トリカルボキシレートであることを特徴とする請求項７記載のガス状不純物濃度検出方法。
【発明の詳細な説明】
【技術分野】
【０００１】
本発明は、ガス状不純物濃度検出ユニット及びガス状不純物濃度検出方法に関し、詳しくは、各種工業用ガス中に含まれるガス状不純物の濃度を測定する際に使用するガス状不純物濃度検出ユニット及び該ガス状不純物濃度検出ユニットを使用してガス状不純物濃度を検出する方法に関する。
【背景技術】
【０００２】
窒素、酸素、アルゴンなどの工業用ガスの製造プロセスでは、製造プラントの運転管理や製品ガスの品質保証などの観点から、ガスの純度を測定することが重要である。工業用ガスは、通常、大気を原料として、吸着精製、精留分離などの工程を経て製造される。このため、各製造プロセスが正常に機能することを監視する目的で、工業用ガス中に含まれるガス状不純物濃度を測定している。また、製品としての工業用ガスを貯蔵・使用する際にも、環境大気から不純物が容易に混入しうるため、工業用ガスを用いて製造される製品の歩留まりや性能を維持する目的でも、工業用ガス中のガス状不純物濃度を測定する必要がある。
【０００３】
各種ガス中の不純物を測定する手法として、例えば特許文献１に記載されたガス検知素子及び測定装置がある。特許文献１には、測定対象不純物に感応して光学的性質が変化する指示薬を含む薄膜と光学機器とを用いることで、前記薄膜の光学的性質変化を検出し、測定対象不純物濃度を測定する装置が開示されている。
【先行技術文献】
【特許文献】
【０００４】
【特許文献１】特開平１０−９６６９９号公報
【発明の概要】
【発明が解決しようとする課題】
【０００５】
しかし、特許文献１に開示されたガス検知素子及び測定装置は、薄膜に含まれる指示薬の微小な光学的性質変化をガス濃度へ換算するため、ガス検知素子の劣化や光学素子の劣化などに起因する光学的性質の変化が、不純物濃度の測定結果に影響を及ぼす。例えば、測定装置を長時間動作させた場合、劣化によってガス検知素子の光学的性質が変化し、長時間安定した出力を得ることが困難であった。このため、長時間にわたって正確な不純物濃度を安定的に測定することが困難であるという問題があった。
【０００６】
そこで本発明は、検知素子の光学的性質変化の経時変化を排除して正確なガス状不純物濃度を安定的に検出できるガス状不純物濃度検出ユニット及び該ガス状不純物濃度検出ユニットを使用してガス状不純物濃度を検出する方法を提供することを目的としている。
【課題を解決するための手段】
【０００７】
上記目的を達成するため、本発明のガス状不純物濃度検出ユニットは、試料ガス中に含まれるガス状不純物成分の濃度を検出するガス状不純物濃度検出ユニットにおいて、あらかじめ設定した第１の波長を有する第１測定光及び前記第１の波長とは異なるあらかじめ設定した第２の波長を有する第２測定光の吸収状態が特定のガスとの接触によってそれぞれ変化する感応剤を光透過性及びガス透過性を有する基材に固定化した検知素子と、該検知素子を備えた試料ガス通路と、該試料ガス通路の一方から試料ガス通路内に前記第１測定光を照射する第１光源及び前記第２測定光を照射する第２光源と、試料ガス通路の他方で前記検知素子を透過した第１測定光及び第２測定光の受光状態をそれぞれ第１計測電圧及び第２計測電圧に変換する受光部と、該受光部で変換した第１計測電圧と第２計測電圧との差又は商を算出し、算出した差又は商に基づいて前記第１計測電圧又は前記第２計測電圧から算出したガス状不純物成分の濃度を補正する演算部とを備えていることを特徴としている。
【０００８】
また、本発明のガス状不純物濃度検出方法は、試料ガス中に含まれるガス状不純物成分の濃度を検出する方法において、あらかじめ設定した第１の波長を有する第１測定光及び前記第１の波長とは異なるあらかじめ設定した第２の波長を有する第２測定光の吸収状態が特定のガスとの接触によってそれぞれ変化する感応剤を光透過性及びガス透過性を有する基材に固定化した検知素子を備えた試料ガス通路内に試料ガスを流通させるとともに、前記試料ガス通路の一方から試料ガス通路内に前記第１測定光及び前記第２測定光を照射し、前記試料ガス通路の他方で前記検知素子を透過した第１測定光及び第２測定光を受光して各受光状態をそれぞれ第１計測電圧及び第２計測電圧に変換し、第１計測電圧と第２計測電圧との差又は商を算出し、算出した差又は商に基づいて前記第１計測電圧又は前記第２計測電圧から算出したガス状不純物成分の濃度を補正することを特徴としている。
【０００９】
さらに、本発明は、第１測定光及び第２測定光は、波長が２００〜８００ｎｍの範囲の光であること、前記ガス状不純物成分が水分であり、前記感応剤は、金属イオン及び該金属イオンに配位結合する有機配位子からなる多孔性金属錯体であり、特に、前記多孔性金属錯体が、銅ベンゼン−１，３，５−トリカルボキシレートであることを特徴としている。
【発明の効果】
【００１０】
本発明によれば、各計測電圧の差又は商から検知素子の光学的性質の経時変化を排除することができるので、経時変化に由来する検知素子の光学的性質変化を排除してガス状不純物成分の濃度を精度よく測定でき、信頼性を向上させることができる。
【図面の簡単な説明】
【００１１】
【図１】本発明のガス状不純物濃度検出ユニットの一形態例を示す説明図である。
【図２】比較例における測定結果の一例を示す図である。
【図３】実施例における第１測定光及び第２測定光の測定結果の一例を示す図である。
【図４】実施例における補正した測定結果の一例を示す図である。
【発明を実施するための形態】
【００１２】
図１は、本発明のガス状不純物濃度検出ユニットの一形態例を示している。本形態例に示すガス状不純物濃度検出ユニット１１は、直線状の試料ガス通路１２を形成するガス入口側ブロック１３及びガス出口側ブロック１４と、試料ガス通路１２の一方に配置された光源側ブロック１５と、試料ガス通路１２の他方に配置された受光側ブロック１６との４個の金属製ブロックによって形成されている。
【００１３】
ガス入口側ブロック１３には、前記試料ガス通路１２に直交する方向から試料ガスＧを導入する試料ガス流入経路１２ａが設けられており、ガス出口側ブロック１４には、前記試料ガス通路１２に直交する方向へ試料ガスを導出する試料ガス流出経路１２ｂが設けられている。また、ガス入口側ブロック１３とガス出口側ブロック１４との間には、検知素子１７が環状パッキン１７ａと共に挟持されている。
【００１４】
検知素子１７は、あらかじめ設定した第１の波長を有する第１測定光Ｌａ及び前記第１の波長とは異なるあらかじめ設定した第２の波長を有する第２測定光Ｌｂの吸収状態が特定のガスとの接触によってそれぞれ変化する感応剤を光透過性及びガス透過性を有する基材に固定化したもので、感応剤の材料としては各種材料を使用可能であるが、例えば、試料ガス中に含まれるガス状不純物成分としての水分濃度を検出する場合には、金属イオン及び該金属イオンに配位結合する有機配位子からなる多孔性金属錯体を用いることができ、例えば、銅ベンゼン−１，３，５−トリカルボキシレートを用いることができる。このとき、第１測定光及び第２測定光の波長は、２００〜８００ｎｍの範囲内に設定することが好ましく、第１測定光の波長と第２測定光の波長とは、特定のガスとの接触により生じる感応剤の吸光度の変化の度合いに十分な差がある必要があるため、１０ｎｍ以上異なっていることが好ましい。
【００１５】
光源側ブロック１５は、開口端に第１光源１８を設けた第１測定光通路１５ａと開口端に第２光源１９を設けた第２測定光通路１５ｂとを有している。第２測定光通路１５ｂは、試料ガス通路１２に対して直線状に配置された第１測定光通路１５ａの途中から直交方向に分岐しており、分岐部１５ｃには、第２測定光通路１５ｂからの第２測定光の光路を９０度変更して試料ガス通路１２に向けて反射させる反射部材２０が設けられている。また、受光側ブロック１６は、開口端に受光部である受光素子２２を設けた受光通路１６ａを有しており、受光通路１６ａは、試料ガス通路１２に対して直線状に配置されている。
【００１６】
光源側ブロック１５とガス入口側ブロック１３との間、受光側ブロック１６とガス出口側ブロック１４との間には、透光部材２１が環状パッキン２１ａとともにそれぞれ挟持されている。透光部材２１は、光透過性及びガス不透過性を有しており、透光部材２１のガス入口側ブロック１３側及びガス出口側ブロック１４側に環状パッキン２１ａをそれぞれ配置することにより、さらに、ガス入口側ブロック１３とガス出口側ブロック１４との間に環状パッキン１７ａを配置することにより、試料ガス通路１２から外部への試料ガスの漏洩や、試料ガス通路１２への外部のガス（大気）の侵入を防止できる気密性を得ている。
【００１７】
前記第１光源１８は前記第１測定光を照射し、前記第２光源１９は前記第２測定光を照射するものであって、各光源としては、前記第１測定光及び第２測定光を照射できるものならば、適宜な光源を採用することができ、例えば、波長が２００〜８００ｎｍの範囲の光を照射するＬＥＤ光源を用いることができる。反射部材２０は、第１測定光を試料ガス通路１２に向けて直線的に透過し、第２測定光を試料ガス通路１２に向けて９０度反射させることができればよく、例えば、ビームスプリッターを用いることができる。
【００１８】
また、前記受光素子２２は、検知素子１７を透過して試料ガス通路１２から受光通路１６ａに至った第１測定光の強度及び第２測定光の強度を測定し、電圧信号に変換して出力するもので、各測定光の強度を測定できれば任意の受光素子を使用でき、例えば、フォトダイオードや光電子増倍管などを用いることができる。
【００１９】
受光素子２２には、該受光素子２２から出力された電圧信号に基づいて各種演算処理を行うための演算部２３が接続されている。この演算部２３は、第１測定光の受光状態から得られた電圧信号である第１計測電圧と、第２測定光の受光状態から得られた電圧信号である第２計測電圧との差又は商を算出し、算出した差又は商の変化量に基づいて前記検知素子１７の光学的性質の経時変化量を算出するとともに、前記第１計測電圧又は前記第２計測電圧から算出したガス状不純物成分の濃度を前記経時変化量を使用して補正することにより、正確なガス状不純物成分濃度を算出する。
【００２０】
このように形成したガス状不純物濃度検出ユニット１１を使用して試料ガス中のガス状不純物の濃度を検出する際には、試料ガスが流れるガス経路の上流側に試料ガス流入経路１２ａを接続するとともに、ガス経路の下流側に試料ガス流出経路１２ｂを接続する。これにより、上流側ガス経路から試料ガス流入経路１２ａに流入した試料ガスが試料ガス通路１２内に導入され、検知素子１７を通過した試料ガスが試料ガス流出経路１２ｂから下流側ガス経路に導出されることで、試料ガス通路１２内を試料ガスが常時流れる状態になる。
【００２１】
試料ガスが流れている状態で第１光源１８を作動させ、第１測定光通路１５ａから入口側の透光部材２１を介して試料ガス通路１２内にあらかじめ設定された強度の第１測定光を照射するとともに、検知素子１７及び出口側の透光部材２１を通過した第１測定光の強度を受光素子２２で受光して第１計測電圧に変換して演算部２３に出力する。
【００２２】
あらかじめ設定された時間経過後、作動光源を第１光源１８から第２光源１９に切り替え、第２光源１９からの第２測定光を、第２測定光通路１５ｂ、反射部材２０、透光部材２１を介して試料ガス通路１２内にあらかじめ設定された強度で照射し、検知素子１７及び出口側の透光部材２１を通過した第２測定光の強度を受光素子２２で受光して第２計測電圧に変換して演算部２３に出力する。
【００２３】
演算部２３では、第１計測電圧と第２計測電圧との差又は商を算出することにより、前記検知素子１７の光学的性質の経時変化を排除したベースラインを算出し、該ベースライン上に現れたガス状不純物成分によるピークとあらかじめ設定された検量線とに基づいてガス状不純物成分の濃度を算出する。これにより、検知素子１７の光学的性質の経時変化によるベースラインの変化を排除することができ、試料ガス中のガス状不純物成分の濃度を正確に検出することができる。
【実施例１】
【００２４】
図１に示す構成のガス状不純物濃度検出ユニット１１を用いて窒素ガス中の微量水分濃度を検出する実験を行った。第１光源１８には、ＯｐｔｏＳｕｐｐｌｙ製のＬＥＤランプＯＳＢ５ＸＮＥ１Ｃ１Ｅを用い、第２光源１９にはＯｐｔｏＳｕｐｐｌｙ製のＯＳＧ５ＸＮＥ１Ｃ１Ｅを用い、受光素子２２にはＴＡＯＳ製のＴＳＬ−２５７を用いた。また、検知素子１７にはＡＤＶＡＮＴＥＣ社製のＰＴＦＥろ紙ＰＦ０２０を支持体とし、銅ベンゼン−１，３，５−トリカルボキシレートを感応剤として固定化したものを用いた。この検知素子１７は、試料ガス（窒素ガス）中に含まれる水分不純物濃度に感応して特定波長の吸光度が変化する。
【００２５】
また、試料ガスには、純度９９．９９９９％以上とされた大陽日酸株式会社製の高純度窒素ガスと、ベースガスが窒素であって、水分濃度が５００ｐｐｂとされた大陽日酸株式会社製の標準ガスとを用いた。そして、検出実験では、前記高純度窒素ガスと前記標準ガスとを一定時間毎に切り替えてガス状不純物濃度検出ユニット１１に供給し、水分濃度の検出結果を観察した。
【００２６】
まず、比較例として、第１光源１８のみを作動させ、第１測定光のみを使用して実験を行ったところ、図２に示すように、高純度窒素ガスと標準ガスとの切り替えに伴って受光素子２２で測定した第１測定光の強度が変化することにより、測定電圧（検出濃度）が変化した。すなわち、標準ガスを供給したときに、ガス中の水分によって検知素子１７の吸光度が変化し、水分濃度に対応したピークＰを観察できた。しかし、長時間の実験による検知素子１７の経時変化（劣化）によってベースラインＢがドリフトするため、ゼロ点を取得できず、正確な水分濃度を測定することは困難であった。
【００２７】
実施例では、第１光源１８から第１測定光を照射して検知素子１７を透過した第１測定光の強度を受光素子２２で測定し、時間経過による強度変化を一定時間測定した後、発光させる光源を第１光源１８から第２光源１９に切り替えて第２測定光を検知素子１７に照射し、前記同様に、検知素子１７を透過した第２測定光の強度を受光素子２２で測定し、時間経過による強度変化を一定時間測定した。その結果を図３に示す。このとき、第１測定光を照射しているときに生じるベースラインＢ１のドリフト幅から係数Ｋ１を、第２測定光を照射しているときに生じるベースラインＢ２のドリフト幅から係数Ｋ２をそれぞれ算出した。
【００２８】
受光素子２２で測定した各測定光の強度変化は、電圧信号として演算部２３に出力され、演算部２３では、第１測定光を照射しているときの強度変化にあらかじめ算出した前記係数Ｋ１を乗じて得られた第１測定結果と、第２測定光を照射しているときの強度変化にあらかじめ算出した前記係数Ｋ２を乗じて得られた第２測定結果とを算出するとともに、第１測定結果を第２測定結果で除した商の値を算出する。この商の値の算出を連続的に繰り返すことにより、図４に示すように、ベースラインＢを補正してドリフトを排除することが可能となり、正確なゼロ点を取得することができる。
【００２９】
したがって、高純度窒素ガスと標準ガスとの切り替えによって得られるピークＰを、補正したベースラインＢに対応させることにより、すなわち、図４に示すように、第１測定光又は第２測定光を照射したときに得られた補正後のベースラインＢに対するピークＰの高さを、あらかじめ作成した検量線のピーク高さと水分濃度との関係に対応させることにより、試料ガス中の水分濃度を正確に算出することができる。
【００３０】
なお、ガス状不純物濃度検出ユニットの構成は、前記形態例の構成に限定されるものではなく、試料ガスの流量や圧力などの条件に応じて適切な構成を採用することができる。また、光源から照射する測定光の波長は、試料ガス及びガス状不純物成分の種類、感応剤、検知素子の種類や形態によって適宜選択することができる。また、測定条件によっては、第１測定光における結果と第２測定光における測定結果の差を取る演算方法も採用することができる。
【符号の説明】
【００３１】
１１…ガス状不純物濃度検出ユニット、１２…試料ガス通路、１２ａ…試料ガス流入経路、１２ｂ…試料ガス流出経路、１３…ガス入口側ブロック、１４…ガス出口側ブロック、１５…光源側ブロック、１５ａ…第１測定光通路、１５ｂ…第２測定光通路、１５ｃ…分岐部、１６…受光側ブロック、１６ａ…受光通路、１７…検知素子、１７ａ…環状パッキン、１８…第１光源、１９…第２光源、２０…反射部材、２１…透光部材、２１ａ…環状パッキン、２２…受光素子、２３…演算部
【図１】
2019120504.tif 000003
【図２】
2019120504.tif 000004
【図３】
2019120504.tif 000005
【図４】
2019120504.tif 000006